(57)【特許請求の範囲】
【請求項１】
調理器の底面に取り付けられた状態において設置され、前記調理器の筐体の第１の方向に沿った第１支持部と、前記筐体の前記第１の方向とは異なる第２の方向に沿った第２支持部とで略Ｌ字型に構成された調理器用支持装置が前記調理器の底面から取り外され、前記第１支持部が前記調理器の天板側に沿い、前記第２支持部が前記調理器の背面に沿い、前記第１支持部と前記第２支持部の境界部分である屈曲部が前記調理器の前記天板と前記背面の境界である角部に沿った状態で、前記調理器と共に箱体内に収納される
梱包方法。
【請求項２】
前記調理器用支持装置は、２つであり、
２つの前記調理器用支持装置間に緩衝材が設けられている
請求項１に記載の梱包方法。
【請求項３】
調理器及び当該調理器を支持する調理器支持装置からなる調理器セットであって、
前記調理器支持装置は、前記調理器の底面に取り付けられた状態において、前記調理器の筐体の第１の方向に沿った第１支持部と、前記筐体の前記第１の方向とは異なる第２の方向に沿った第２支持部とで略Ｌ字型に構成され、
前記調理器の底面から取り外された状態において、前記第１支持部が前記調理器の天板側に沿い、前記第２支持部が前記調理器の背面に沿い、前記第１支持部と前記第２支持部の境界部分である屈曲部が前記調理器の前記天板と前記背面の境界である角部に沿った状態で前記調理器と共に箱体内に収納されるよう構成される調理器セット。
【発明の詳細な説明】
【技術分野】
【０００１】
本発明は、梱包方法及び調理器セットに関する。
【背景技術】
【０００２】
調理に用いられる調理器として、電力のみで動作する電磁調理器が知られている。電磁調理器は、誘導加熱コイルによって発生した磁束が金属の調理鍋に作用して調理鍋自体が発熱するものである。また、ガスや火を用いる調理器も広く知られている。設置する台などの高さによっては、調理器が調理に適した高さにならずに調理がしにくいという問題がある。そこで、調理器の底面に脚を設ける提案がなされている。
【先行技術文献】
【特許文献】
【０００３】
【特許文献１】特許第４２８９３７４号公報
【発明の概要】
【発明が解決しようとする課題】
【０００４】
調理器は、使用者がその上に鍋、フライパンなどを載置して調理を行うものであり、非常に高温になるものであるため、高い安定性が求められる。
【０００５】
したがって、本発明の目的は、梱包用箱の小型化、梱包した箱の設置スペースの節約などを図る梱包方法及び調理器セットを提供することにある。
【課題を解決するための手段】
【０００６】
上述した課題を解決するために、本発明は、調理器の底面に取り付けられた状態において設置され、調理器の筐体の第１の方向に沿った第１支持部と、筐体の第１の方向とは異なる第２の方向に沿った第２支持部とで略Ｌ字型に構成された調理器用支持装置が調理器の底面から取り外され、第１支持部が調理器の天板側に沿い、第２支持部が調理器の背面に沿い、第１支持部と第２支持部の境界部分である屈曲部が調理器の天板と背面の境界である角部に沿った状態で、調理器と共に箱体内に収納される梱包方法である。
【０００７】
また、本発明は、調理器及び当該調理器を支持する調理器支持装置からなる調理器セットであって、調理器支持装置は、調理器の底面に取り付けられた状態において、調理器の筐体の第１の方向に沿った第１支持部と、筐体の第１の方向とは異なる第２の方向に沿った第２支持部とで略Ｌ字型に構成され、調理器の底面から取り外された状態において、第１支持部が調理器の天板側に沿い、第２支持部が調理器の背面に沿い、第１支持部と第２支持部の境界部分である屈曲部が調理器の天板と背面の境界である角部に沿った状態で調理器と共に箱体内に収納されるよう構成される調理器セットである。
【発明の効果】
【０００８】
本発明によれば、梱包用箱の小型化、梱包した箱の設置スペースの節約などを図ることができる。なお、ここに記載された効果は必ずしも限定されるものではなく、明細書中に記載されたいずれかの効果であってもよい。
【図面の簡単な説明】
【０００９】
【図１】図１は、調理器用支持装置により支持される電磁調理器の斜視図である。
【図２】図２は、電磁調理器の側面図である。
【図３】図３は、電磁調理器の底面図である。
【図４】図４は、調理器用支持装置の外観構成を示す斜視図である。
【図５】図５Ａは調理器用支持装置の平面図であり、図５Ｂは調理器用支持装置の底面図である。
【図６】図６は、調理器用支持装置の側面図である。
【図７】図７は、電磁調理器に調理器用支持装置を接続した状態を示す上面側斜視図である。
【図８】図８は、電磁調理器に調理器用支持装置を接続した状態の底面側斜視図である。
【図９】図９は、電磁調理器に調理器用支持装置を接続した状態の背面図である。
【図１０】図１０は、電磁調理器に調理器用支持装置を接続した状態の底面図である。
【図１１】図１１は、電磁調理器と調理器用支持装置の梱包状態の分解図である。
【図１２】図１２は、電磁調理器と調理器用支持装置の梱包状態の側面図である。
【図１３】図１３は、電磁調理器と調理器用支持装置の梱包状態を示す図である。
【発明を実施するための形態】
【００１０】
以下、本発明の実施の形態について図面を参照しながら説明する。ただし、本発明は以下の実施例のみに限定されるものではない。なお、説明は以下の順序で行う。
＜１．実施の形態＞
［１−１.調理器の構成］
［１−２.調理器用支持装置の構成］
［１−３.電磁調理器と調理器用支持装置の梱包］
＜２．変形例＞
【００１１】
＜１．実施の形態＞
［１−１.調理器の構成］
まず、調理器用支持装置により支持される調理器の一例である電磁調理器１について説明する。なお、以下の電磁調理器１および調理器用支持装置の説明においては、電磁調理器１の筐体の前後方向である奥行き方向を縦方向とし、縦方向に対して直交する幅方向を横方向とする。電磁調理器１は、例えば、１００Ｖの商用電源を利用する２個の加熱部に磁気シールドを有する電磁調理器である。
【００１２】
電磁調理器１は、薄い直方体の箱形状に構成されている。電磁調理器１は、例えば、６０ｍｍ程度の厚さを有する。電磁調理器１は、上側部１０及び下側部２０からなり、上側部１０が下側部２０を覆う形（上側部１０の側板が下側部２０の壁部の外側に位置する形）で箱形状をなしている。上側部１０は、略四角形状の平板部１１と、平板部１１の周縁から下方に延びている上側縁部１２を有する。平板部１１上に略四角形状の天板３０が載置され、接着などの方法により固定されている。
【００１３】
天板３０は、調理に供する鍋などの調理器具（図示せず。）を載置するための領域を有する。なお、天板３０は奥行方向（前後方向）において上側部１０の平板部１１よりも小さく構成されており、平板部１１の前方が天板３０に覆われないように構成されている。天板３０の表面には、２つの同心円の組が２組描かれている。同心円の組はそれぞれ左加熱領域３１、右加熱領域３２を示しており、それぞれその下方に加熱部が位置していることを表している。左加熱領域３１、右加熱領域３２の２つの同心円のうち半径が小さい方の円は、対応する加熱部の後述する誘導コイルが巻回されている円の外周を表しており、すなわち、誘導コイルに電流が流れることにより電磁誘導作用が働く領域を表している。２つの同心円のうち半径が大きい方の円は、対応する加熱部で加熱し得る調理器具の直径の目安を与えるものである。
【００１４】
本実施の形態における電磁調理器１の場合、左側の加熱部に加熱時に供給し得る最大電力が、右側の加熱部に加熱時に供給し得る最大電力より大きくなっている。これに対応するように、左加熱領域３１の同心円は右加熱領域３２の同心円よりも大きく構成されている。これは、使用者に最大加熱能力の違いを直観的に認識させようとしたものである。
【００１５】
下方に加熱部が位置していることを表している２つの同心円の中心に「ＩＨ」などの文字や記号を描画しておき、加熱部が電磁誘導作用を利用した加熱部であることを明示するようにしても良い。このようにした場合には、加熱部が、ラジエントヒーターやハロゲンヒーターによるという誤解を利用者に与えることを防止できる。
【００１６】
天板３０は、例えば１枚のガラス板によって構成されている。これにより、天板３０の上面を凹凸等がない平面とすることができる。また、鍋などの調理器具を載せたり下ろしたりする際に、天板３０を損傷させるようなことを未然に防止することができる。さらに、調理器具などから噴きこぼれた液体等を容易に拭き取ることができる。なお、天板３０の表面が平面でも、市販のタブレット端末と同様なガラス表面に対する加工により、後述する各種のキースイッチなどを設けることができる。
【００１７】
上側部１０の平板部１１における天板３０が載置されていない領域は前方に向けて傾斜するように構成されており、ボタン、表示部などを備える操作領域４０として構成されている。操作領域４０を前方に向けて傾斜させることにより、操作領域４０が使用者の方向を向くようになり、操作がし易くなる。
【００１８】
操作領域４０は左側の加熱部における各種操作に対応する左加熱部用操作領域４１と、右側の加熱部における各種操作に対応する右加熱部用操作領域４２とに分かれている。左加熱部用操作領域４１には、通常加熱のオンオフを指示する加熱ボタン、湯沸かし加熱のオンオフを指示する湯沸かしボタン、揚げ物加熱のオンオフを指示する揚げ物ボタンなどが設けられている。また、加熱の段階を上下させるためのボタン、タイマの計時時間を設定するためのボタンなども設けられている。また、左加熱部用操作領域４１には、各加熱モードのいずれが動作しているかを示す発光素子、加熱の段階を表示する発光素子、タイマの残り時間や揚げ物加熱時の温度等を表示する数字表示部などが設けられている。
【００１９】
右加熱部用操作領域４２には、通常加熱のオンオフを指示する加熱ボタン、湯沸かし加熱のオンオフを指示する湯沸かしボタン、揚げ物加熱のオンオフを指示する揚げ物ボタンなどが設けられている。また、加熱の段階を上下させるためのボタン、タイマの計時時間を設定するためのボタンなどが設けられている。各ボタンは例えば、触感のあるプッシュスイッチにより構成されている。ただし、プッシュスイッチに限定されるものではなく、タッチパネル方式のスイッチにより構成されてもよい。
【００２０】
また、右加熱部用操作領域４２には、各加熱モードのいずれが動作しているかを示す発光素子、加熱の段階を表示する発光素子、タイマの残り時間や揚げ物加熱時の温度等を表示する数字表示部などが設けられている。なお、本実施の形態においては、左加熱部の加熱時における最大電力が右加熱部よりも大きいため、右加熱部における加熱段階の数よりも左加熱部の段階数が多くなっている。また、操作領域４０には、その他、電源スイッチ、電源スイッチのオンオフ状態を表す発光素子なども設けられている。
【００２１】
下側部２０は、四角形状の底板２１と、底板２１周辺から上方に立設されている下側縁部２２とを有し、底板２１と下側縁部２２とは一体成形されている。上側部１０の上側縁部１２の内面と、下側部２０の下側縁部２２の外面とが接触し固定され、上側部１０及び下側部２０による筐体が完成されている。
【００２２】
下側部２０の底板２１には、２つの吸気口、第１吸気口５１、第２吸気口５２が設けられている。第１吸気口５１、第２吸気口５２はそれぞれ、中心開口と、その周囲に設けられている同心円状の複数の円環部材と、径方向に放射状に延びている直線部材とでなっている。第１吸気口５１は、筐体内部に設けられたファン（図示せず。）の回転により筐体内に空気を取り込むものであり、第２吸気口５２は、第１吸気口５１に対応するファンとは異なるファン（図示せず。）の回転により筐体内に空気を取り込むものである。
【００２３】
また、下側部２０の底板２１には排気口６０が設けられている。排気口６０は、複数のスリットを左右方向に並設することにより構成されており、底板２１の後端に設けられている。吸気口１１Ａ、１１Ｂから周囲の空気を筐体内に取り込み、筐体内部の空気を排気口６０から排出するようになされている。これにより、電磁調理器１の筐体内を強制空冷する空気流の流路が形成されている。
【００２４】
さらに、底板２１の左側には、左側支持体１００が備える第１組み立てガイドリブ１０２Ａ、第２組み立てガイドリブ１０３Ａを挿入するための第１ガイドリブ挿入穴８１Ａ、第２ガイドリブ挿入穴８２Ａが設けられている。また、底板２１の右側には右側支持体２００が備える第１組み立てガイドリブ、第２組み立てガイドリブを挿入するための第１ガイドリブ挿入穴８１Ｂ、第２ガイドリブ挿入穴８２Ｂも設けられている。第１組み立てガイドリブ１０２Ａ、第２組み立てガイドリブ１０３Ａの詳細について後述する。
【００２５】
下側部２０内の底板２１側には調理器用支持装置としての左側支持体１００、右側支持体２００と接続するためのインサートナットのネジ受け部が設けられている。ネジ受け部は、後述する第１ネジ穴１４１、第２ネジ穴１５２、第３ネジ穴１５３に対応した位置に設けられている。
【００２６】
底板の４隅のそれぞれには足部７０、７０、・・・が設けられている。足部７０は、電磁調理器１を安定した状態で支持するものである。足部７０は、例えばゴム、シリコンなどの弾性体で構成することにより、載置面に傷がつくことを防止するとともに、電磁調理器１が載置面上で滑ることも防止することができる。
【００２７】
電磁調理器１は、左右方向及び奥行方向の長さに比較して厚みが薄く（例えば、５６０ｍｍ×４５０ｍｍ×６０ｍｍ）、重心が載置面に近い器具となっており、安定した載置状態を実現することができる。また、天板３０として、厚さが４ｍｍ程度のガラスを適用すると共に、底板２１として、単なる樹脂ではなくガラス繊維を充填した充填材含有樹脂（例えば、ガラス入りナイロン；ＰＡ６＋ＧＦ１５％）を適用しているので、筐体の容積に比較して大きな重量を稼ぐことができ、安定した載置状態を実現することができる。
【００２８】
また、ガラス繊維を充填した充填材含有樹脂で底板２１を構成することにより、底板２１として十分な強度を得ることができると共に、機械的な共振を防止することができる。因みに、天板３０以外の上側部１０は、例えば、ポリカーボネートとＡＢＳのアロイ樹脂（ＰＣ＋ＡＢＳ）で構成され、強度と耐熱性を満足している。
【００２９】
上述したように、天板３０を除いた上側部１０、下側部２０の材質として合成樹脂を適用している。１００Ｖの商用電源を適用した場合、筐体内部で生じる不要な電磁波が従来より少なく、筐体外への電磁波放出を避けるシールドを考慮する必要がない。そのため、上側部１０の部分や下側部２０の材質として合成樹脂を適用することができる。
【００３０】
電磁調理器１の内部には、左加熱部、右加熱部の中心的な構成要素である２つの誘導コイルが上述した同心円組の半径が小さい円の下方である位置にそれぞれ設けられている。また、電磁調理器１内部には、誘導コイルを支持するベース板、磁気シールド部、インバータ回路、ヒートシンク、制御部（いずれも図示せず。）等が設けられている。各誘導コイルにおいてはそれぞれ、対応するインバータ回路からの高周波数（例えば数万Ｈｚ）の交流電流により、コイルの周辺に磁束が発生する。発生した磁束が金属製鍋を通過するときに鍋の内部に無数のうず電流が発生し、うず電流が流れるとき、調理器具の底の電気抵抗で熱が発生し、その熱によって加熱が行われる。
【００３１】
誘導コイルの外周近傍には、磁気シールド部を設けてある。磁気シールド部は、例えば、１本の帯状導電板をリング状にして両端部を半田などで接続した構成のものである。各インバータ回路はそれぞれ、１００Ｖの商用電源を整流して得た直流を電力制御のためのスイッチング用の半導体素子を複数適用し、所定周波数の交流に変換するものである。電力制御用の半導体素子としては、例えば、絶縁ゲートバイポーラトランジスタ（Insulated Gate Bipolar Transistor；ＩＧＢＴ）が使用される。ヒートシンクは、誘導コイル用のインバータ回路を構成する複数のＩＧＢＴが搭載されており、ＩＧＢＴの冷却用のものである。
【００３２】
制御部は、例えば、ＣＰＵ、ＲＯＭ、ＲＡＭ等を備えたマイクロコンピュータで構成され、電磁調理器１の各部と接続していて各種信号を授受できるようになされている。例えば、制御部は、電力分配器やインバータ回路と接続しているだけでなく、入力部や、各種のセンサ群や、上述したファン群などと接続している。なお、制御部は、図示を省略している電源スイッチのオンによる電源供給により動作するようになされている。制御部においては、ＣＰＵが、ＲＯＭに格納されているプログラムや固定データ、並びに、各部からの入力信号や現在の状態などに基づき、ＲＡＭをワーキングメモリとして利用しながら、操作部に対する入力内容に応じた各種の制御などを行う。電磁調理器１は以上のようにして構成されている。ただし、電磁調理器１は、卓上型のものであってもよいし、据置き型のものであってもよい。
【００３３】
［１−２.調理器用支持装置の構成］
次に電磁調理器１を支持する調理器用支持装置である左側支持体１００と右側支持体２００について説明する。左側支持体１００と右側支持体２００とは２つで一組の電磁調理器１用の調理器用支持装置として機能するものである。左側支持体１００と右側支持体２００は、段差を設けたレンジ台収容部に載置され、電磁調理器１の天板３０とキッチンの調理台をほぼ面一にするための支持装置である。
【００３４】
左側支持体１００は、電磁調理器１を左側において下方から支持するものである。また、右側支持体２００は、電磁調理器１を右側において下方から支持するものである。左側支持体１００、右側支持体２００は電磁調理器１に着脱可能に装着されるものである。以下、左側支持体１００の構成について説明するが、右側支持体２００は左側支持体１００と左右対称の形状に構成されている。
【００３５】
左側支持体１００は、底面部１０１と、底面部１０１から略垂直方向に起立する外側面部１０２、内側面部１０３、前面部１０４、テーパー部１０５、外背面部１０６、内背面部１０７、端面部１０８とから、上面が開口し、かつ、内部が中空のものとして構成されている。また、左側支持体１００は、電磁調理器１の前後方向に沿って延びる縦支持部１１０と、電磁調理器１の横方向に沿った横支持部１２０、縦支持部１１０と横支持部１２０間の屈曲部１３０を備えるように構成されている。左側支持体１００は、縦支持部１１０、横支持部１２０および屈曲部１３０とから平面視略Ｌ字状に構成されている。
【００３６】
左側支持体１００は、縦支持部１１０と横支持部１２０とから略Ｌ字状に構成されることにより、直線上の形状に比べて安定した状態で電磁調理器１を支持できる。また、Ｌ字状に構成することにより、左側支持体１００自体の強度も高めることができる。
【００３７】
縦支持部１１０の前端は、外側から内側にむけて斜めに形成されたテーパー部１０５として構成されている。縦支持部１１０の前端をテーパー状に構成することにより、前端が直角の面として構成されている場合より、前方から電磁調理器１の下方への空気の流れをスムーズにすることができる。
【００３８】
縦支持部１１０の前端内側の角には略水平方向に張り出すように前方鍔部１４０が設けられている。前方鍔部１４０には左側支持体１００と電磁調理器１とをネジ止めにより固定するための第１ネジ穴１４１が形成されている。テーパー部１０５により凹んだ位置に前方鍔部１４０を設けることにより、内側面部１０３と前面部１０４の延長線上からはみ出ることがなく前方鍔部１４０を設けることができる。これにより、縦支持部１１０の前方にネジ穴を設けるために大きく突出した箇所を設ける必要がない。
【００３９】
また、左側支持体１００の後端には後方の略水平方向に張り出すように後方鍔部１５０が設けられている。後方鍔部１５０には左側支持体１００と電磁調理器１とをネジ止めにより固定するための第２ネジ穴１５２、第３ネジ穴１５３が形成されている。第２ネジ穴１５２は、Ｌ字状に構成された左側支持体１００の屈曲部１３０の近傍に位置するように設けられている。また、第３ネジ穴１５３は、横支持部１２０の端部の近傍に位置するように設けられている。
【００４０】
左側支持体１００の３つの端である縦支持部１１０の前端、横支持部１２０の端部近傍、屈曲部１３０の近傍にそれぞれ第１ネジ穴１４１、第２ネジ穴１５２、第３ネジ穴１５３を設けることにより、安定した状態で左側支持体１００を電磁調理器１に固定することができる。また、安定した状態で電磁調理器１を支持することにより、電磁調理器１内における誘導コイルなどの振動による共振音の低減も図ることができる。なお、電磁調理器１と左側支持体１００、右側支持体２００との接続に用いるものはネジに限られず、例えば、インサートナット、係合する爪状のアタッチメントなどでもよい。
【００４１】
外側面部１０２の上端には上方に向かって突出する突起状の第１組み立てガイドリブ１０２Ａが設けられている。また、内側面部１０３の上端には上方に向かって突出する突起状の第２組み立てガイドリブ１０３Ａが設けられている。第１組み立てガイドリブ１０２Ａは外形がひけないように肉薄に構成されている。第１組み立てガイドリブ１０２Ａ、第２組み立てガイドリブ１０３Ａは、左側支持体１００を電磁調理器１に接続する際に電磁調理器１の底板２１に設けられた第１ガイドリブ挿入穴８１Ａ、第２ガイドリブ挿入穴８２Ａにそれぞれ挿入するものである。これにより、左側支持体１００と電磁調理器１の位置合わせを容易に行うことができる。
【００４２】
なお、第１組み立てガイドリブ１０２Ａは第２組み立てガイドリブ１０３Ａに比べて高く形成されている。これは、第１組み立てガイドリブ１０２Ａを先に第１ガイドリブ挿入穴８１Ａに入れ、次に第２組み立てガイドリブ１０３Ａを第２ガイドリブ挿入穴８２Ａに入れるようにするためである。よって、左側支持体１００を電磁調理器１に接続する場合は、まず、第１組み立てガイドリブ１０２Ａを第１ガイドリブ挿入穴８１Ａに挿入し、第２組み立てガイドリブ１０３Ａを第２ガイドリブ挿入穴８２Ａに挿入してから、第１ネジ穴１４１、第２ネジ穴１５２、第３ネジ穴１５３で用いてネジ止めする。右側支持体２００も同様にして接続される。
【００４３】
左側支持体１００の底面部１０１には、２つの足部１６０が設けられている。足部１６０は、左側支持体１００と載置面との間に介在することにより左側支持体１００を安定した状態で支持するものである。足部１６０は、例えばゴム、シリコンなどの弾性体により構成されていることにより、載置面に傷がつくことを防止するとともに、左側支持体１００が載置面上で滑ることも防止する。
【００４４】
足部１６０は、左側支持体１００を安定した状態で支持するために、ある程度の距離を開けて底面部１０１に設けるとよい。実施の形態においては、縦支持部１１０の前方および屈曲部１３０の近傍に設けられている。なお、足部１６０の数は２つに限られるものではなく、２つ以上の数であればいくつ設けてもよい。また、足部１６０を構成する素材としては、ゴム以外であっても、左側支持体１００を安定した状態で支持し、かつ、載置面に傷をつけない弾性を有する素材であればどのようなものであってもよい。左側支持体１００は上方が開口し、内部が中空に構成されている。これにより、左側支持体１００の軽量化、材料費の削減を図ることができる。
【００４５】
左側支持体１００の底面には、複数の孔部１７０が設けられている。孔部１７０は、開口している上方から左側支持体１００内部に入り込んだ水などの液体を排出するための水抜き孔として機能する。また、孔部１７０は、左側支持体１００の内部の通気孔としても機能する。これにより、電磁調理器１により熱せられた空気が左側支持体１００内に滞留することを防止することができる。なお、上述のように左側支持体１００の底面には足部１６０が設けられているため、載置面によって孔部１７０が塞がれてしまうことはない。
【００４６】
左側支持体１００の内側面部１０３の上端には下方に向けて凹んだ切り欠き部１８０が設けられている。切り欠き部１８０は、電磁調理器１の底面に設けられた吸気口５１と左側支持体１００が重なる位置に設けられている。その吸気口５１と左側支持体１００とが重なる位置に切り欠き部１８０を設けることにより、左側支持体１００が吸気口５１を塞いで吸気を遮ることを防止することができる。切り欠き部１８０の寸法は、吸気口５１の大きさに応じて適宜設定するとよい。
【００４７】
左側支持体１００の外背面部１０６にはフック状のコードかけ１９０が設けられている。コードかけ１９０は一体成型により左側支持体１００に設けられている。コードかけ１９０は電磁調理器１の電源用コード（図示せず。）を引き出した状態で維持するためにひっかけるためのものである。なお、右側支持体２００にも同様の構成のコードかけが設けられているため、電磁調理器１の電源用コードは左右どちらの方向に引き出してもよい。
【００４８】
以上のようにして左側支持体１００が構成されている。右側支持体２００は左側支持体１００と左右対称に構成されている。なお、左側支持体１００、右側支持体２００の両方が電磁調理器１の底面に設けられた吸気口に重なる場合には、左側支持体１００、右側支持体２００のどちらにも切り欠き部１８０を設ける必要がある。
【００４９】
一方、左側支持体１００、右側支持体２００のいずれか一方のみが電磁調理器１の底面に設けられた吸気口に重なる場合、重ならない方の支持体には切り欠き部１８０は不要である。左側支持体１００、右側支持体２００の両方が電磁調理器１の底面に設けられた吸気口に重ならない場合には、左側支持体１００、右側支持体２００のどちらにも切り欠き部１８０は不要である。
【００５０】
図７乃至図１０は、左側支持体１００、右側支持体２００を電磁調理器１に接続した状態を示す図である。上述したように、左側支持体１００、右側支持体２００は上面が開口し、内部が中空のものとして構成されているため、電磁調理器１に左側支持体１００、右側支持体２００を接続した際、電磁調理器１の左側の足部７０は左側支持体１００内に収納されることになる。また、電磁調理器１の右側の足部７０は右側支持体２００内に収納されることになる。よって、電磁調理器１に左側支持体１００、右側支持体２００を接続する際に足部７０が邪魔になることがない。
【００５１】
左側支持体１００と右側支持体２００はそれぞれ電磁調理器１の左端と右端において電磁調理器１を支持するものである。よって、電磁調理器１に左側支持体１００と右側支持体２００を接続した状態にあっては電磁調理器１の下に前方に向けて開口する空間が形成される。
【００５２】
また、横支持部１２０は電磁調理器１の幅方向の寸法の半分よりも短く構成されている。これにより、左側支持体１００の横支持部１２０と右側支持体２００の横支持部１２０との間にある程度の広さを有する空隙が形成される。これにより、電磁調理器１の下には、左側支持体１００と右側支持体２００の間において、電磁調理器１の前方から後方に向けて開口する空間が形成される。左側支持体１００の横支持部１２０と右側支持体２００の横支持部１２０との間に空間が形成されることにより、前方から後方に向けて空気が吹き抜けることが可能であるため、空気の流れを妨げず冷却効率を低下させることがない。また、電磁調理器１の下の空間は鍋、フライパンなどの調理器具を収納するという使い方も可能である
【００５３】
図８および図１０に示されるように電磁調理器１においては、左側支持体１００が電磁調理器１の底面の左側に設けられた吸気口５１の一部に重なっている。よって、左側支持体１００には吸気口５１に重なる位置に切り欠き部１８０が設けられている。これにより、吸気口における空気の流れを左側支持体１００が遮ってしまうことがない。なお、図８および図１０に示される電磁調理器１においては、右側支持体２００は電磁調理器１の底面の左側に設けられた吸気口５２に重なっていない。したがって、右側支持体２００には切り欠き部１８０を設ける必要がない。
【００５４】
以上のようにして左側支持体１００、右側支持体２００が構成され、その左側支持体１００、右側支持体２００により電磁調理器１が支持される。なお、電磁調理器１は、卓上型、据置き型、どちらの型であっても支持体を用いて支持することができる。
【００５５】
［１−３.電磁調理器と調理器用支持装置の梱包］
次に電磁調理器１、左側支持体１００および右側支持体２００の梱包方法について説明する。ここで説明する梱包例は、電磁調理器１、左側支持体１００および右側支持体２００を一つの調理器セットとして提供、販売するような場合に、それらを一つの箱に収めるためのものである。図１１は、梱包状態を説明するための梱包状態の分解図であり、図１２は梱包状態の側面図である。図１３は、梱包用箱内部における梱包状態および梱包用の箱を示す図である。梱包状態においては、電磁調理器１の両側面を保護するように第１側面用緩衝材３１０および第２側面用緩衝材３２０が電磁調理器１の左右にそれぞれ配置されている。第１側面用緩衝材３１０および第２側面用緩衝材３２０としては例えば発泡スチロールを用いることができる。また、第１側面用緩衝材３１０および第２側面用緩衝材３２０は、折り曲げ加工されたダンボール、気泡緩衝材などを用いてもよい。
【００５６】
また、天板３０を保護するための天板保護材３３０が天板３０を覆うように設けられている。天板保護材３３０としては例えばダンボール、板状の発泡スチロールなどを用いることができる。なお、天板保護材３３０は、位置のズレ等を防ぐために粘着テープで数箇所をとめることにより位置を固定するとよい。
【００５７】
そして、図１２に示されるように左側支持体１００の縦支持部１１０が天板保護材３３０上に載り、左側支持体１００の横支持部１２０が電磁調理器１の背面に沿うように左側支持体１００を天板保護材３３０上に載置する。同様に、右側支持体２００も縦支持部１１０が天板保護材３３０上に載り、横支持部１２０が電磁調理器１の背面に沿うように天板保護材３３０上に載置する。このように略Ｌ字状である左側支持体１００と右側支持体２００の屈曲部１３０を利用して収納することにより、収納状態を小さくすることができる。これにより、梱包用箱の小型化、梱包した箱の設置スペースの節約などを図ることができる。
【００５８】
左側支持体１００と右側支持体２００の間には支持体用緩衝材３４０が配置されている。支持体用緩衝材３４０を設けることにより、左側支持体１００と右側支持体２００とが接触して傷がつくことを防止することができる。また、左側支持体１００と右側支持体２００の位置を固定して左側支持体１００と右側支持体２００とが箱４００内部で振動することを防止することもできる。支持体用緩衝材３４０としては例えば発泡スチロールを用いることができる。また、支持体用緩衝材３４０として折り曲げ加工されたダンボール、気泡緩衝材などを用いてもよい。
【００５９】
そして、図１３に示されるように一体となった電磁調理器１、左側支持体１００および右側支持体２００を第１の箱４００に収納する。さらに、２つの電磁調理器と支持体のセットを一つの箱に収納する場合には、２つの第１の箱４００、４００を内箱としてそれぞれに電磁調理器１と支持体のセットを収納し、それらを外箱としての第２の箱５００に収納する。第１の箱４００、第２の箱５００は例えばダンボールにより構成される。このようにして電磁調理器１、左側支持体１００および右側支持体２００の梱包が行われる。
【００６０】
なお、第１側面用緩衝材３１０および第２側面用緩衝材３２０のサイズは、第１側面用緩衝材３１０および第２側面用緩衝材３２０の電磁調理器１と接する面以外の全面が第１の箱４００の内面に接するサイズにするとよい。これにより、第１の箱４００内部で電磁調理器１、左側支持体１００および右側支持体２００が振動することを防止できる。
【００６１】
この梱包の説明においては、電磁調理器１、左側支持体１００および右側支持体２００がセットで提供、販売されるものとして説明を行った。しかし、左側支持体１００および右側支持体２００からなる支持体セットと、電磁調理器１とは分けて提供、販売するようにしてもよい。その場合、左側支持体１００および右側支持体２００からなる支持体セットを高さが異なる複数種類用意して提供、販売するようにしてもよい。それにより、使用者が電磁調理器１の使用環境、使用者の身長などに合わせて適切な高さの支持体セットを選ぶことができる。
【００６２】
＜２．変形例＞
以上、本発明の実施の形態について具体的に説明したが、本発明は上述の実施の形態に限定されるものではなく、本発明の技術的思想に基づく各種の変形が可能である。実施の形態においては、調理器として電磁調理器を挙げて説明を行ったが、支持体により支持する調理器は電磁調理器に限定されるものではなく、ガスを用いた加熱調理器、電力を用いたいわゆるホットプレートなどでもよい。
【００６３】
実施形態では、排気口６０を筐体の背面に設けたものを示したが、筐体の背面に加え、右側面や左側面の背面寄りの部分にも設けるようにしても良い。実施形態においては、加熱部が２個の電磁調理器１を示したが、加熱部の数は２個に限定されるものではない。加熱部の数がいくつであっても本発明に係る調理器用支持装置を適用することは可能である。また、加熱部は１００Ｖのものに限られず、例えば２００Ｖのものであってもよい。さらに、誘導加熱に基づく加熱部が２つ以上ある場合には、誘導加熱以外の原理による加熱部を有するものであってもよい。
【符号の説明】
【００６４】
１・・・電磁調理器、３０・・・天板、４０・・・操作領域、５１、５２・・・吸気口、
１００・・・左側支持体、２００・・・右側支持体、１１０・・・縦支持部、１２０・・・横支持部、１３０・・・屈曲部、１７０・・・孔部、１８０・・・切り欠き部
【図１】
0006346840.tif 000002
【図２】
0006346840.tif 000003
【図３】
0006346840.tif 000004
【図４】
0006346840.tif 000005
【図５】
0006346840.tif 000006
【図６】
0006346840.tif 000007
【図７】
0006346840.tif 000008
【図８】
0006346840.tif 000009
【図９】
0006346840.tif 000010
【図１０】
0006346840.tif 000011
【図１１】
0006346840.tif 000012
【図１２】
0006346840.tif 000013
【図１３】
0006346840.tif 000014